(57)【要約】【課題】適切に頭外定位処理することができる頭外定位処理装置、頭外定位処理方法、及び頭外定位処理プログラムを提供する。【解決手段】本実施の形態にかかる頭外定位処理装置は、ステレオ再生信号の同相信号を算出する加算器５１と、前記同相信号を減算するための減算比率を設定する比率設定部５２と、減算比率に応じてステレオ再生信号から同相信号を減算することで、補正信号を生成する減算器５３、５４と、空間音響伝達特性を用いて、補正信号に対して畳み込み処理を行うことで、畳み込み演算信号を生成する畳み込み演算部１１、１２、２１、２２と、フィルタを用いて、畳み込み演算信号に対してフィルタ処理を行うことで、出力信号を生成するフィルタ部４１、４２と、出力信号をユーザに向けて出力するヘッドホン４５と、を備えたものである。【選択図】図１
2018137549.tif 000002
【特許請求の範囲】
【請求項１】
ステレオ再生信号の同相信号を算出する同相信号算出部と、
前記同相信号を減算するための減算比率を設定する比率設定部と、
前記減算比率に応じて前記ステレオ再生信号から同相信号を減算することで、補正信号を生成する減算部と、
空間音響伝達特性を用いて、前記補正信号に対して畳み込み処理を行うことで、畳み込み演算信号を生成する畳み込み演算部と、
フィルタを用いて、前記畳み込み演算信号に対してフィルタ処理を行うことで、出力信号を生成するフィルタ部と、
ヘッドホン又はイヤホンを有し、前記出力信号をユーザに向けて出力する出力部と、を備えた頭外定位処理装置。
【請求項２】
前記比率設定部が、再生音量に応じて、前記減算比率を変更する請求項１に記載の頭外定位処理装置。
【請求項３】
前記再生音量が所定の範囲内にある場合、前記再生音量の増加に応じて、前記減算比率が単調増加する請求項２に記載の頭外定位処理装置。
【請求項４】
前記再生音量の増加に応じて、前記減算比率が段階的に増加する請求項２に記載の頭外定位処理装置。
【請求項５】
再生音量が低い場合、前記減算部による減算を行わず、前記畳み込み処理部が前記ステレオ再生信号を前記補正信号として、畳み込み処理を行う請求項２〜４のいずれか１項に記載の頭外定位処理装置。
【請求項６】
前記比率設定部が、ユーザ入力に応じて、前記減算比率を変更する請求項１〜５のいずれか１項に記載の頭外定位処理装置。
【請求項７】
前記ステレオ再生信号の相関が所定の条件を満たす場合、前記減算部が減算を行い、
前記ステレオ再生信号の相関が所定の条件を満たさない場合、前記減算部が減算を行わず、前記畳み込み処理部が前記ステレオ再生信号を前記補正信号として、畳み込み処理を行う請求項１〜６のいずれか１項に記載の頭外定位処理装置。
【請求項８】
ステレオ再生信号の同相信号を算出するステップと、
前記同相信号を減算するための減算比率を設定するステップと、
前記減算比率に応じて、前記ステレオ再生信号から同相信号を減算することで、補正信号を生成するステップと、
空間音響伝達特性を用いて、前記補正信号に対して畳み込み処理を行うことで、畳み込み演算信号を生成するステップと、
フィルタを用いて、前記畳み込み演算信号に対してフィルタ処理を行うことで、出力信号を生成するステップと、
ヘッドホン又はイヤホンを有し、前記出力信号をユーザに向けて出力するステップと、を備えた頭外定位処理方法。
【請求項９】
ステレオ再生信号の同相信号を算出するステップと、
前記同相信号を減算するための減算比率を設定するステップと、
前記減算比率に応じて、前記ステレオ再生信号から同相信号を減算することで、補正信号を生成するステップと、
空間音響伝達特性を用いて、前記補正信号に対して畳み込み処理を行うことで、畳み込み演算信号を生成するステップと、
フィルタを用いて、前記畳み込み演算信号に対してフィルタ処理を行うことで、出力信号を生成するステップと、
ヘッドホン又はイヤホンを有し、前記出力信号をユーザに向けて出力するステップと、を、
コンピュータに実行させる頭外定位処理プログラム。
【発明の詳細な説明】
【技術分野】
【０００１】
本発明は、頭外定位処理装置、頭外定位処理方法、及び頭外定位処理プログラムに関する。
【背景技術】
【０００２】
音像定位技術として、両耳ヘッドホンを用いて受聴者の頭外に音像を定位させる頭外定位技術がある（特許文献１）。特許文献１では、逆ヘッドホンレスポンスと、空間レスポンスを畳み込んだ結果からなる音像定位フィルタを用いている。空間レスポンスは、音源（スピーカ）から耳元までの空間伝達特性（頭部伝達関数ＨＲＴＦ）の測定により得られる。逆ヘッドホンレスポンスは、ヘッドホンから耳元乃至鼓膜までの特性（外耳道伝達関数ＥＣＴＦ）をキャンセルする逆フィルタである。
【先行技術文献】
【特許文献】
【０００３】
【特許文献１】特開平５−２５２５９８号公報
【非特許文献】
【０００４】
【非特許文献１】医歯薬出版・Harvey Dillon著  補聴器ハンドブック
【非特許文献２】コロナ社・日本音響学会  聴覚と音響心理
【発明の概要】
【発明が解決しようとする課題】
【０００５】
また、健聴者にとって、音の大きさ（ラウドネス）は片耳で聞いているときよりも両耳で聞いているときの方が大きくなる、ということが知られている。これは、いわゆる「両耳効果」と呼ばれる。また、両耳効果により、両耳によるラウドネス加算は、およそ５〜６［ｄＢ］変化し、さらに、１０［ｄＢ］変化という報告もある（非特許文献１）。
【０００６】
なお、ステレオ再生のように２個のスピーカから音が与えられる場合は、一方の音に遅延などがあって２か所にある実音源として聴こえる場合も、また２音源の音によって合成された虚音像として聴こえる場合も、音の大きさの加算に関しては単耳の現象と全く同じと考えてさしつかえない。（非特許文献２）
【０００７】
左右に配置した２つのスピーカから合成された虚音像はもちろん、ヘッドホンやイヤホンで提示される頭外定位受聴装置の音像についても、両耳効果が発生する。特にヘッドホンの方がスピーカよりも再生ユニットから耳までの距離が近いため、音量が大きく聴こえやすくなる。また、発明者らの実験において、ステレオスピーカが生成するファントムセンターの音像とステレオヘッドホンが生成するファントムセンターの音像、頭外定位ヘッドホンのファントム音像について、各々の耳元に与える音圧レベルを一定にした時の音の大きさを比較した。その結果、耳元に与える音圧レベルが特定の範囲内のときは、ステレオヘッドホンと頭外定位ヘッドホンが生成するファントム音像の音量が、ステレオスピーカが生成するファントム音像の音量よりも大きいことが分かった。つまり、スピーカで再生するよりヘッドホンで再生した方が、音量が大きく聴こえ、両耳効果が高くなることが分かった。
【０００８】
そのため、頭外定位ヘッドホンが生成するファントム音像は、ヘッドホンで再生することによって、模擬するスピーカ音場よりも両耳効果でさらに強調される。具体的には、ボーカル等のファントムセンターに定位する音像の定位が近くに感じやすくなるという問題点がある。さらに、スピーカとヘッドホンの再生音量を上げていくと、ある音量を超えると、ステレオヘッドホンや頭外定位ヘッドホンが生成するファントム音像の音量とステレオスピーカが生成するファントム音像の音量が逆転してしまい、ステレオヘッドホンや頭外定位ヘッドホンで再生した方がボーカル等のファントムセンターに定位する音像の音量が大きく聴こえてしまうという問題点がある。
【０００９】
本発明は上記の点に鑑みなされたもので、適切に頭外定位処理することができる頭外定位処理装置、頭外定位処理方法、及び頭外定位処理プログラムを提供することを目的とする。
【課題を解決するための手段】
【００１０】
本発明にかかる頭外定位処理装置は、ステレオ再生信号の同相信号を算出する同相信号算出部と、前記同相信号を減算するための減算比率を設定する比率設定部と、前記減算比率に応じて前記ステレオ再生信号から同相信号を減算することで、補正信号を生成する減算部と、空間音響伝達特性を用いて、前記補正信号に対して畳み込み処理を行うことで、畳み込み演算信号を生成する畳み込み演算部と、フィルタを用いて、前記畳み込み演算信号に対してフィルタ処理を行うことで、出力信号を生成するフィルタ部と、ヘッドホン又はイヤホンを有し、前記出力信号をユーザに向けて出力する出力部と、を備えたものである。
【００１１】
本発明にかかる頭外定位処理方法は、ステレオ再生信号の同相信号を算出するステップと、前記同相信号を減算するための減算比率を設定するステップと、前記減算比率に応じて、前記ステレオ再生信号から同相信号を減算することで、補正信号を生成するステップと、空間音響伝達特性を用いて、前記補正信号に対して畳み込み処理を行うことで、畳み込み演算信号を生成するステップと、フィルタを用いて、前記畳み込み演算信号に対してフィルタ処理を行うことで、出力信号を生成するステップと、ヘッドホン又はイヤホンを有し、前記出力信号をユーザに向けて出力するステップと、を備えたものである。
【００１２】
本発明にかかる頭外定位処理プログラムは、ステレオ再生信号の同相信号を算出するステップと、前記同相信号を減算するための減算比率を設定するステップと、前記減算比率に応じて、前記ステレオ再生信号から同相信号を減算することで、補正信号を生成するステップと、空間音響伝達特性を用いて、前記補正信号に対して畳み込み処理を行うことで、畳み込み演算信号を生成するステップと、フィルタを用いて、前記畳み込み演算信号に対してフィルタ処理を行うことで、出力信号を生成するステップと、ヘッドホン又はイヤホンを有し、前記出力信号をユーザに向けて出力するステップと、を、コンピュータに実行させる頭外定位処理プログラム。
【発明の効果】
【００１３】
本発明によれば、適切に頭外定位処理することができる頭外定位処理装置、頭外定位処理方法、及び頭外定位処理プログラムを提供することができる。
【図面の簡単な説明】
【００１４】
【図１】本実施の形態に係る頭外定位処理装置を示すブロック図である。
【図２】入力信号ＳｒｃＬの波形を示す図である。
【図３】入力信号ＳｒｃＲの波形を示す図である。
【図４】同相信号ＳｒｃＩｐの波形を示す図である。
【図５】補正信号ＳｒｃＬ’の波形を示す図である。
【図６】補正信号ＳｒｃＲ’の波形を示す図である。
【図７】伝達特性を測定するための構成を示す図である。
【図８】補正処理を示すフローチャートである。
【図９】ステレオスピーカ、ステレオヘッドホン及び頭外定位ヘッドホンが生成するファントムセンターの耳元における音圧レベルを比較するための聴感実験を行う構成を示す図である。
【図１０】開放型ヘッドホンにおけるファントムセンターの音像の音量の耳元での音圧レベルを聴感実験で評価したグラフである。
【図１１】密閉型ヘッドホンにおけるファントムセンターの音像の音量の耳元での音圧レベルを聴感実験で評価したグラフである。
【図１２】図１０のグラフの頭外定位ヘッドホンのファントム音像とステレオスピーカのファントム音像の音圧レベル差を示すグラフである。
【図１３】図１１のグラフの頭外定位ヘッドホンのファントム音像とステレオスピーカのファントム音像の音圧レベル差を示すグラフである。
【図１４】係数テーブルを設定する設定処理を示すフローチャートである。
【図１５】変形例にかかる係数ｍテーブルの設定処理を示すフローチャートである。
【図１６】変形例における近似関数と係数を示すグラフである。
【図１７】実施の形態２にかかる係数テーブルの設定処理を示す図である。
【図１８】実施の形態２における係数テーブルを説明するためのグラフである。
【発明を実施するための形態】
【００１５】
本実施の形態にかかる頭外定位処理の概要について説明する。本実施形態にかかる頭外定位処理は、個人の空間音響伝達特性（空間音響伝達関数ともいう）と外耳道伝達特性（外耳道伝達関数ともいう）を用いて頭外定位処理を行うものである。本実施形態では、スピーカから聴取者の耳までの空間音響伝達特性、及びヘッドホンを装着した状態での外耳道伝達特性の逆特性を用いて頭外定位処理を実現している。
【００１６】
本実施の形態では、ヘッドホン装着状態でのヘッドホンスピーカユニットから外耳道入口までの特性である外耳道伝達特性が利用されている。そして、外耳道伝達特性の逆特性（外耳道補正関数ともいう）を用いて畳み込み処理を行うことで、外耳道伝達特性をキャンセルする。
【００１７】
本実施の形態にかかる頭外定位処理装置は、パーソナルコンピュータ、スマートホン、タブレットＰＣなどの情報処理装置を有しており、プロセッサ等の処理手段、メモリやハードディスクなどの記憶手段、液晶モニタ等の表示手段、タッチパネル、ボタン、キーボード、マウスなどの入力手段、ヘッドホン又はイヤホンを有する出力手段を備えている。以下の実施形態では、頭外定位処理装置が、スマートホンであるものとして説明を行う。より具体的には、スマートホンのプロセッサは、頭外定位処理を行うためのアプリケーションプログラム（アプリケーション）を実行することで、頭外定位処理が実施される。このような、アプリケーションプログラムは、インターネット等のネットワークを介して入手可能である。
【００１８】
実施の形態１．
（頭外定位処理装置の構成）
本実施の形態にかかる頭外定位処理装置１００を図１に示す。図１は、頭外定位処理装置１００のブロック図である。頭外定位処理装置１００は、ヘッドホン４５を装着するユーザＵに対して音場を再生する。そのため、頭外定位処理装置１００は、ＬｃｈとＲｃｈのステレオ入力信号ＳｒｃＬ、ＳｒｃＲについて、頭外定位処理を行う。ＬｃｈとＲｃｈのステレオ入力信号ＳｒｃＬ、ＳｒｃＲは、ＣＤ（Compact Disc）プレーヤなどから出力されるアナログのオーディオ再生信号または、mp3(MPEG Audio Layer-3)等のデジタルオーディオデータである。なお、頭外定位処理装置１００は、物理的に単一な装置に限られるものではなく、一部の処理が異なる装置で行われてもよい。例えば、一部の処理がパソコンやスマートホンなどにより行われ、残りの処理がヘッドホン４５に内蔵されたＤＳＰ(Digital Signal Processor)などにより行われてもよい。
【００１９】
頭外定位処理装置１００は、演算処理部１１０と、ヘッドホン４５とを備えている。演算処理部１１０は、補正処理部５０と、頭外定位処理部１０と、フィルタ部４１、４２と、Ｄ／Ａ（Digital to Analog）コンバータ４３、４４と、音量取得部６１と、を備えている。
【００２０】
演算処理部１１０は、メモリに格納されたプログラムを実行することで、補正処理部５０、頭外定位処理部１０、フィルタ部４１、４２、音量取得部６１における処理を行う。演算処理部１１０は、スマートホンなどであり、頭外定位処理用のアプリケーションを実行する。なお、Ｄ／Ａコンバータ４３、４４は、演算処理部１１０やヘッドホン４５に内蔵されていてもよい。また、演算処理部１１０と、ヘッドホン４５との接続は、有線接続であってもよく、Ｂｌｕｅｔｏｏｔｈ（登録商標）等の無線接続であってもよい。
【００２１】
補正処理部５０は、加算器５１と、比率設定部５２と、減算器５３、５４と、相関判定部５６と、を備えている。加算器５１は、ステレオ入力信号ＳｒｃＬ、ＳｒｃＲに基づいて、ステレオ入力信号ＳｒｃＬ、ＳｒｃＲの同相信号ＳｒｃＩｐを算出する同相信号算出部である。例えば、加算器５１は、ステレオ入力信号ＳｒｃＬ、ＳｒｃＲを加算して半分にすることで、同相信号ＳｒｃＩｐを生成する。
【００２２】
同相信号は、以下の式（１）で得られる。
ＳｒｃＩｐ＝（ＳｒｃＬ＋ＳｒｃＲ）／２    ・・・（１）
【００２３】
図２〜図４にステレオ入力信号ＳｒｃＬ、ＳｒｃＲ、及び同相信号ＳｒｃＩｐの一例を示す。図２は、Ｌｃｈのステレオ入力信号ＳｒｃＬを示す波形図であり、図３は、Ｒｃｈステレオ入力信号ＳｒｃＲを示す波形図である。図４は、同相信号ＳｒｃＩｐを示す波形図である。図２〜図４において、横軸が時間、縦軸が振幅となっている。
【００２４】
補正処理部５０は、ステレオ入力信号ＳｒｃＬ、ＳｒｃＲの再生音量に基づいて、ステレオ入力信号ＳｒｃＬ、ＳｒｃＲの同相信号ＳｒｃＩｐの比率を減算し調整することで、ステレオ入力信号ＳｒｃＬ、ＳｒｃＲを補正する。そのため、比率設定部５２は、同相信号ＳｒｃＩｐを減算するための比率（減算比率Ａｍｐ１と称する）を設定する。減算器５３は、設定された減算比率Ａｍｐ１で、同相信号ＳｒｃＩｐをステレオ入力信号ＳｒｃＬから減算して、Ｌｃｈの補正信号ＳｒｃＬ’を生成する。同様に、減算器５４は、設定された減算比率Ａｍｐ１で、同相信号ＳｒｃＩｐをＲｃｈのステレオ入力信号ＳｒｃＲから減算して、Ｒｃｈの補正信号ＳｒｃＲ’を生成する。
【００２５】
補正信号ＳｒｃＬ’、ＳｒｃＲ’は以下の式（２）、式（３）で得られる。なお、Ａｍｐ１は減算比率であり、０％〜１００％の値をとることができる
ＳｒｃＬ’＝ＳｒｃＬ−ＳｒｃＩｐ＊Ａｍｐ１    ・・・（２）
ＳｒｃＲ’＝ＳｒｃＲ−ＳｒｃＩｐ＊Ａｍｐ１    ・・・（３）
【００２６】
図５、図６に補正信号ＳｒｃＬ’、ＳｒｃＲ’の一例を示す。図５は、Ｌｃｈの補正信号ＳｒｃＬ’を示す波形図である。図６は、Ｒｃｈの補正信号ＳｒｃＲ’を示す波形図である。ここでは、減算比率Ａｍｐ１は５０％となっている。このように、減算器５３は、減算比率に応じて、ステレオ入力信号ＳｒｃＬ、ＳｒｃＲから同相信号ＳｒｃＩｐを減算する。
【００２７】
比率設定部５２は減算比率Ａｍｐ１を同相信号ＳｒｃＩｐに乗じて、減算器５３、５４に出力している。比率設定部５２は、減算比率Ａｍｐ１を設定するための係数ｍを格納している。係数ｍは、再生音量ｃｈＶｏｌに応じて設定されている。具体的には、比率設定部５２は、係数ｍと再生音量ｃｈＶｏｌとが対応付けられている係数テーブルを格納している。比率設定部５２は、後述する音量取得部６１で取得された再生音量ｃｈＶｏｌに応じて、係数ｍを変更する。これにより、再生音量ｃｈＶｏｌに応じて、適切な減算比率Ａｍｐ１を設定することができる。
【００２８】
また、ステレオ入力信号ＳｒｃＬ、ＳｒｃＲに同相成分がどれくらい含まれているかを判定するため、ステレオ入力信号ＳｒｃＬ、ＳｒｃＲは、相関判定部５６に入力される。相関判定部５６は、Ｌｃｈのステレオ入力信号ＳｒｃＬとＲｃｈのステレオ入力信号ＳｒｃＲとの相関を判定する。例えば、相関判定部５６は、Ｌｃｈのステレオ入力信号ＳｒｃＬとＲｃｈのステレオ入力信号ＳｒｃＲとの相互相関関数を求める。そして、相関判定部５６は、相互相関関数に基づいて、相関が高いか否かを判定する。例えば、相関判定部５６は、相互相関関数と相関閾値との比較結果に応じて、判定を行う。
【００２９】
一般的に、相互相関関数が１(１００％)は２つの信号が一致した状態つまり相関がある状態、相互相関関数が０は相関が無い無相関の状態、相互相関関数が−１(−１００％)は２つの信号のいずれかの正負を逆転した信号が一致した状態つまり逆相関の状態とされる。ここでは、相互相関関数に相関閾値を設けて、相互相関関数と相関閾値を比較している。相互相関関数が相関閾値以上の場合を相関が高い、相関閾値よりも小さい場合を相関が低い、と定義する。例えば、相関閾値は８０％とすることができる。また相関閾値は、必ず正方向の値に設定する。
【００３０】
相関が低い場合、補正処理部５０による補正処理を行わずに、ステレオ入力信号ＳｒｃＬ、ＳｒｃＲをそのまま頭外定位処理部１０に出力する。すなわち、補正処理部５０は、ステレオ入力信号ＳｒｃＬ、ＳｒｃＲから同相信号を減算せずに、出力する。したがって、補正信号ＳｒｃＬ’、ＳｒｃＲ’とステレオ入力信号ＳｒｃＬ、ＳｒｃＲとが一致する。換言すると、式（２）、式（３）のＡｍｐ１が０となる。
【００３１】
相関が高い場合、補正処理部５０は、ステレオ入力信号ＳｒｃＬ、ＳｒｃＲから同相信号ＳｒｃＩｐに減算比率Ａｍｐ１を乗算した信号を減算して、補正信号ＳｒｃＬ’、ＳｒｃＲ’として出力する。すなわち、補正処理部５０は、式（２）、式（３）に基づいて、補正信号ＳｒｃＬ’、ＳｒｃＲ’を算出する。これにより、ステレオ入力信号ＳｒｃＬ、ＳｒｃＲから生成される同相成分の比率が調整されたステレオの補正信号ＳｒｃＬ’、ＳｒｃＲ’が生成される。
【００３２】
このように、相関が所定の条件を満たす場合、減算器５３、５４が減算を行う。そして、畳み込み演算部１１、１２、２１、２２は、ステレオ入力信号ＳｒｃＬ、ＳｒｃＲから同相信号ＳｒｃＩｐが減算された補正信号ＳｒｃＬ’、ＳｒｃＲ’に対して畳み込み処理を行う。一方、相関が所定の条件を満たさない場合、減算器５３、５４が減算を行わずに、畳み込み処理部１１、１２、２１、２２がステレオ再生信号ＳｒｃＬ、ＳｒｃＲを補正信号ＳｒｃＬ’、ＳｒｃＲ’として、畳み込み処理を行う。すなわち、畳み込み処理部１１、１２、２１、２２は、ステレオ再生信号ＳｒｃＬ、ＳｒｃＲに対して畳み込み処理を行う。相関としては、例えば相互相関関数を用いることができる。そして、補正処理部５０は、相互相関関数と相関閾値との比較結果に応じて、減算処理を行うか否か判定する。
【００３３】
頭外定位処理部１０は、畳み込み演算部１１〜１２、畳み込み演算部２１〜２２、増幅器１３、１４、増幅器２３、２４、及び加算器２６、２７を備えている。畳み込み演算部１１〜１２、２１〜２２は、空間音響伝達特性を用いた畳み込み処理を行う。頭外定位処理部１０には、補正処理部５０からの補正信号ＳｒｃＬ’、ＳｒｃＲ’が入力される。
【００３４】
頭外定位処理部１０には、空間音響伝達特性が設定されている。頭外定位処理部１０は、各ｃｈの補正信号ＳｒｃＬ’、ＳｒｃＲ’に対し、空間音響伝達特性を畳み込む。空間音響伝達特性はユーザＵ本人の頭部や耳介で測定した頭部伝達関数ＨＲＴＦでもよいし、ダミーヘッドまたは第三者の頭部伝達関数であってもよい。これらの伝達特性は、その場で測定してもよいし、予め用意してもよい。
【００３５】
空間音響伝達特性は、スピーカから耳元までの４つの伝達特性で、ＳｐＬから左耳までの伝達特性Ｈｌｓ、ＳｐＬから右耳までの伝達特性Ｈｌｏ、ＳｐＲから左耳までの伝達特性Ｈｒｏ、ＳｐＲから右耳までの伝達特性Ｈｒｓを有している。そして、畳み込み演算部１１は、Ｌｃｈの補正信号ＳｒｃＬ’に対して伝達特性Ｈｌｓを畳み込む。畳み込み演算部１１は、増幅器１３を介して畳み込み演算信号を加算器２６に出力する。畳み込み演算部２１は、Ｒｃｈの補正信号ＳｒｃＲ’に対して伝達特性Ｈｒｏを畳み込む。畳み込み演算部２１は、増幅器２３を介して、畳み込み演算信号を加算器２６に出力する。加算器２６は２つの畳み込み演算信号を加算して、フィルタ部４１に出力する。
【００３６】
畳み込み演算部１２は、Ｌｃｈの補正信号ＳｒｃＬ’に対して伝達特性Ｈｌｏを畳み込む。畳み込み演算部１２は、畳み込み演算信号を、増幅器１４を介して、加算器２７に出力する。畳み込み演算部２２は、Ｒｃｈの補正信号ＳｒｃＲ’に対して伝達特性Ｈｒｓを畳み込む。畳み込み演算部２２は、畳み込み演算信号を、増幅器２４を介して、加算器２７に出力する。加算器２７は２つの畳み込み演算信号を加算して、フィルタ部４２に出力する。
【００３７】
なお、増幅器１３、１４、２３、２４は、所定の増幅率Ａｍｐ２で畳み込み演算信号を増幅している。また、増幅器１３、１４、２３、２４の増幅率Ａｍｐ２は同じとなっていてもよく、異なっていてもよい。
【００３８】
また、音量取得部６１は、増幅器１３、１４、２３、２４の増幅率Ａｍｐ２に応じて、再生中の音量（または再生中の音圧レベル）ｃｈＶｏｌを取得する。なお、音量ｃｈＶｏｌを取得する方法は特に限定されるものではない。ユーザが操作したヘッドホン４５またはスマートホンの音量（Ｖｏｌ）によって、音量ｃｈＶｏｌを取得してもよい。あるいは、後述する出力信号ｏｕｔＬ、ｏｕｔＲに基づいて、音量ｃｈＶｏｌを取得してもよい。音量取得部６１は、音量ｃｈＶｏｌを比率設定部５２に出力する。
【００３９】
図７を参照して、４つの伝達特性Ｈｌｓ、Ｈｌｏ、Ｈｒｏ、Ｈｒｓを説明する。図７は、４つの伝達特性Ｈｌｓ、Ｈｌｏ、Ｈｒｏ、Ｈｒｓを測定するためのフィルタ生成装置２００を示す模式図である。フィルタ生成装置２００は、ステレオスピーカ５、及びステレオマイク２を備えている。さらに、フィルタ生成装置２００は、処理装置２０１を備えている。処理装置２０１は、収音信号をメモリなどに記憶する。処理装置２０１は、メモリ、及びプロセッサなどを備える演算処理装置であり、具体的には、パーソナルコンピュータなどである。処理装置２０１は予め格納されたコンピュータプログラムに従って処理を行う。
【００４０】
ステレオスピーカ５は、左スピーカ５Ｌと右スピーカ５Ｒを備えている。例えば、受聴者１の前方に左スピーカ５Ｌと右スピーカ５Ｒが設置されている。左スピーカ５Ｌと右スピーカ５Ｒは、スピーカから耳元までの空間音響伝達特性を測定するため、測定信号を出力する。例えば、測定信号はインパルス信号やＴＳＰ（Ｔｉｍｅ  Ｓｔｒｅｃｈｅｄ Ｐｕｌｅ）信号等でもよい。
【００４１】
ステレオマイク２は、左のマイク２Ｌと右のマイク２Ｒを有している。左のマイク２Ｌは、受聴者１の左耳９Ｌに設置され、右のマイク２Ｒは、受聴者１の右耳９Ｒに設置されている。具体的には、左耳９Ｌ、右耳９Ｒの外耳道入口乃至鼓膜位置の任意の位置にマイク２Ｌ、２Ｒを設置することが好ましい。なお、マイク２Ｌ、２Ｒは、外耳道入口から鼓膜までの間ならばどこに配置してもよい。マイク２Ｌ、２Ｒは、ステレオスピーカ５から出力された測定信号を収音して、収音信号を取得する。
【００４２】
受聴者１は、頭外定位処理装置１００のユーザＵと同じ人であってもよく、異なる人であってもよい。受聴者１は、人でもよく、ダミーヘッドでもよい。すなわち、本実施形態において、受聴者１は人だけでなく、ダミーヘッドを含む概念である。
【００４３】
上記のように、左右のスピーカ５Ｌ、５Ｒから出力された測定信号をマイク２Ｌ、２Ｒで収音することで空間伝達特性を測定する。処理装置２０１は、測定した空間伝達特性をメモリに記憶する。これにより、左スピーカ５Ｌから左マイク２Ｌまでの間の伝達特性Ｈｌｓ、左スピーカ５Ｌから右マイク２Ｒまでの間の伝達特性Ｈｌｏ、右スピーカ５Ｌから左マイク２Ｌまでの間の伝達特性Ｈｒｏ、右スピーカ５Ｒから右マイク２Ｒまでの間の伝達特性Ｈｒｓが測定される。すなわち、左スピーカ５Ｌから出力された測定信号を左マイク２Ｌが収音することで、伝達特性Ｈｌｓが取得される。左スピーカ５Ｌから出力された測定信号を右マイク２Ｒが収音することで、伝達特性Ｈｌｏが取得される。右スピーカ５Ｒから出力された測定信号を左マイク２Ｌが収音することで、伝達特性Ｈｒｏが取得される。右スピーカ５Ｒから出力された測定信号を右マイク２Ｒが収音することで、伝達特性Ｈｒｓが取得される。
【００４４】
そして、処理装置２０１は、収音信号に基づいて、左右のスピーカ５Ｌ、５Ｒから左右のマイク２Ｌ、２Ｒまでの伝達特性Ｈｌｓ〜Ｈｒｓに応じたフィルタを生成する。具体的には、処理装置２０１は、伝達特性Ｈｌｓ〜Ｈｒｓを所定のフィルタ長で切り出して、頭外定位処理部１０の畳み込み演算に用いられるフィルタとして生成する。図１で示したように、頭外定位処理装置１００が、左右のスピーカ５Ｌ、５Ｒと左右のマイク２Ｌ、２Ｒとの間の伝達特性Ｈｌｓ〜Ｈｒｓを用いて頭外定位処理を行う。すなわち、補正信号ＳｒｃＬ’、ＳｒｃＲ’を伝達特性Ｈｌｓ〜Ｈｒｓに畳み込むことにより、頭外定位処理を行う。
【００４５】
図１の説明に戻る。フィルタ部４１、４２にはヘッドホン４５からマイク２Ｌ，２Ｒまでの外耳道伝達特性（ヘッドホン特性ともいう）をキャンセルする逆フィルタＬｉｎｖ、Ｒｉｎｖが設定されている。そして、加算器２６、２７で加算された畳み込み演算信号に逆フィルタＬｉｎｖ、Ｒｉｎｖをそれぞれ畳み込む。フィルタ部４１で加算器２６からのＬｃｈの畳み込み演算信号に対して、逆フィルタＬｉｎｖを畳み込む。同様に、フィルタ部４２は加算器２７からのＲｃｈの畳み込み演算信号に対して逆フィルタＲｉｎｖを畳み込む。逆フィルタＬｉｎｖ、Ｒｉｎｖは、ヘッドホン４５を装着した場合に、ヘッドホン４５の出力ユニットからマイクまでの特性をキャンセルする。すなわち、外耳道入口近傍にマイクを配置したとき、ユーザ各人の外耳道入口とヘッドホンの再生ユニット間、あるいは鼓膜とヘッドホンの再生ユニット間等の伝達特性をキャンセルする。なお、マイクは、外耳道入口から鼓膜までの間ならばどこに配置してもよい。逆フィルタＬｉｎｖ、Ｒｉｎｖは、ユーザＵ本人の特性をその場で測定した結果から算出してもよいし、ダミーヘッドまたは第三者等の任意の外耳を用いて測定したヘッドホン特性から算出した逆フィルタを予め用意してもよい。
【００４６】
逆フィルタを生成するため、左ユニット４５Ｌは、受聴者１の左耳９Ｌに向けて測定信号を出力する。右ユニット４５Ｒは、受聴者１の右耳９Ｒに向けて測定信号を出力する。
【００４７】
図７の左のマイク２Ｌは、受聴者１の左耳９Ｌに設置され、右のマイク２Ｒは、受聴者１の右耳９Ｒに設置されている。具体的には、左耳９Ｌ、右耳９Ｒの外耳道入口乃至鼓膜位置の任意の位置にマイク２Ｌ、２Ｒを設置することが好ましい。なお、マイクは、外耳道入口から鼓膜までの間ならばどこに配置してもよい。マイク２Ｌ、２Ｒは、ヘッドホン４５等から出力された測定信号を収音して、収音信号を取得する。すなわち、受聴者１がヘッドホン４５、及びステレオマイク２を装着した状態で測定が行われる。例えば、測定信号はインパルス信号やＴＳＰ（Ｔｉｍｅ  Ｓｔｒｅｃｈｅｄ Ｐｕｌｅ）信号等でもよい。そして、収音信号に基づいて、ヘッドホン特性の逆特性を算出し、逆フィルタが生成される。
【００４８】
フィルタ部４１は、フィルタ処理したＬｃｈの出力信号ｏｕｔＬをＤ／Ａコンバータ４３に出力する。Ｄ／Ａコンバータ４３は、出力信号ｏｕｔＬをＤ／Ａ変換して、ヘッドホン４５の左ユニット４５Ｌに出力する。
【００４９】
フィルタ部４２は、フィルタ処理したＲｃｈの出力信号ｏｕｔＲをＤ／Ａコンバータ４４に出力する。Ｄ／Ａコンバータ４４は、出力信号ｏｕｔＲをＤ／Ａ変換して、ヘッドホン４５の右ユニット４５Ｒに出力する。
【００５０】
ユーザＵは、ヘッドホン４５を装着している。ヘッドホン４５は、Ｌｃｈの出力信号とＲｃｈの出力信号をユーザＵに向けて出力する。これにより、ユーザＵの頭外に定位された音像を再生することができる。
【００５１】
このように、本実施形態では、補正処理部５０でステレオ入力信号ＳｒｃＬ、ＳｒｃＲから同相信号ＳｒｃＩｐを減算している。これにより、ヘッドホンで再生することで音量の変動や両耳効果によってより強められた同相成分を抑制し、スピーカ音場と同じになるように、同相信号ＳｒｃＩｐを適切な音量に補正した頭外定位受聴を行うことができる。よって、適切に音像定位処理することが可能となる。例えば、頭外定位ヘッドホンが生成するファントムセンターに定位するボーカル等の音像の定位が音量の変動や両耳効果によって強調されるのを抑制することができる。よって、頭外定位ヘッドホンが生成するファントムセンターに定位する音像が近く感じやすくなることを防ぐことができる。
【００５２】
さらに、補正処理部５０において、減算比率Ａｍｐ１が可変となっている。比率設定部５２が、同相信号の減算比率Ａｍｐ１を再生音量ｃｈＶｏｌに応じて変更する。すなわち、再生音量ｃｈＶｏｌが変わると、比率設定部５２が減算比率Ａｍｐ１の値を変更する。このようにすることで、再生音量ｃｈＶｏｌが変わった場合でも、再生音量ｃｈＶｏｌに合わせて適切に音像定位処理することができる。すなわち、再生音量ｃｈＶｏｌが変わった場合でも、両耳効果によってファントムセンターに定位する音像が強調されるのを抑制することができる。
【００５３】
（補正処理）
次に、補正処理部５０での補正処理について、図８を用いて説明する。図８は、補正処理部５０での補正処理を示すフローチャートである。図８に示す処理は、図１の補正処理部５０において実施される。具体的には、頭外定位処理装置１００のプロセッサがコンピュータプログラムを実行することで、図８の処理を実施する。
【００５４】
ここでは、減算比率Ａｍｐ１を求めるための係数として係数ｍ［ｄＢ］が設定されている。そして、係数ｍ［ｄＢ］は、再生音量ｃｈＶｏｌに応じた係数テーブルとして、比率設定部５２に格納されている。なお、係数ｍ［ｄＢ］は、ステレオ入力信号ＳｒｃＬ、ＳｒｃＲを何ｄＢ下げるかを指定する値である。
【００５５】
まず、補正処理部５０がステレオ入力信号ＳｒｃＬ、ＳｒｃＲから１フレーム分を取得する（Ｓ１０１）。次に、音量取得部６１が再生音量ｃｈＶｏｌを取得する（Ｓ１０２）。
【００５６】
そして、音量取得部６１は再生音量ｃｈＶｏｌが後述する制御範囲の範囲内か否かを判定する（Ｓ１０３）。再生音量ｃｈＶｏｌが制御範囲外である場合（Ｓ１０３のＮＯ）、補正処理部５０が補正を行わずに、処理を終了する。すなわち、補正処理部５０は、ステレオ入力信号ＳｒｃＬ、ＳｒｃＲがそのまま出力される。
【００５７】
再生音量ｃｈＶｏｌが制御範囲内である場合（Ｓ１０３のＹＥＳ）、比率設定部５２は、係数テーブルを参照して、係数ｍ［ｄＢ］を設定する（Ｓ１０４）。比率設定部５２には、上記のように、音量取得部６１から再生音量ｃｈＶｏｌが入力されている。係数テーブルでは、再生音量ｃｈＶｏｌと係数ｍ［ｄＢ］が対応付けられている。比率設定部５２は、再生音量ｃｈＶｏｌに応じて、適切な減算比率Ａｍｐ１を設定することができる。比率設定部５２は、予め係数テーブルを格納している。なお、係数テーブルの作成については後述する。
【００５８】
そして、相関判定部５６がステレオ入力信号ＳｒｃＬ、ＳｒｃＲの相関判定を１フレームずつ行う（Ｓ１０５）。具体的には、相関判定部５６は、ステレオ入力信号ＳｒｃＬ、ＳｒｃＲの相互相関関数が相関閾値（例えば８０％）以上であるか否かを判定する。
【００５９】
相互相関関数φ１２は、以下の式（４）で与えられる。
【数１】
2018137549.tif 000003
【００６０】
ｇ１（ｘ）は１フレーム分のステレオ入力信号ＳｒｃＬであり、ｇ２（ｘ）は、１フレーム分のステレオ入力信号ＳｒｃＲである。式（４）では相互相関関数は自己相関が１になるように正規化が行われている。
【００６１】
相互相関関数が相関閾値よりも小さい場合（Ｓ１０５のＮＯ）、補正を行わずに、処理を終了する。ステレオ入力信号ＳｒｃＬ、ＳｒｃＲの相関が低い、すなわちステレオ入力信号ＳｒｃＬ、ＳｒｃＲの同相信号ＳｒｃＩｐに同相成分が少ない場合、抽出できる同相信号も少なくなるため補正処理を行わなくてもよい。
【００６２】
なお、再生する楽曲や音楽ジャンルに応じて相関閾値を変えてもよい。例えば、クラシックの相関閾値は９０％、ＪＡＺＺの相関閾値は８０％、ＪＰＯＰのようにファントムセンターにボーカルが多く入っているような楽曲の相関閾値は６５％等としてもよい。
【００６３】
相互相関関数が相関閾値よりも大きい場合（Ｓ１０５のＹＥＳ）、減算器５３、５４が減算比率Ａｍｐ１に応じて、ステレオ入力信号ＳｒｃＬ、ＳｒｃＲから同相信号ＳｒｃＩｐを減算する（Ｓ１０６）。すなわち、式（２）、式（３）に基づいて、補正信号ＳｒｃＬ’、ＳｒｃＲ’が算出される。
【００６４】
そして、ステレオ入力信号ＳｒｃＬ、ＳｒｃＲの再生中は、Ｓ１０１〜Ｓ１０６の処理を繰り返し行う。すなわち、フレーム毎にＳ１０１〜Ｓ１０６の処理が実施される。これにより、再生音量ｃｈＶｏｌが変わった場合、１フレーム毎に音量の変化を検出するため、ステレオ入力信号ＳｒｃＬ、ＳｒｃＲの再生中でも、再生音量ｃｈＶｏｌに合わせた係数ｍに更新される。
【００６５】
ここで、係数ｍ［ｄＢ］の単位はデシベル［ｄＢ］となっている。そのため、ステレオ入力信号ＳｒｃＬ、ＳｒｃＲに、係数ｍ［ｄＢ］に対する減算比率Ａｍｐ１は以下の式（５）で求めることができる。
ｍ［ｄＢ］＝２０＊ｌｏｇ１０（Ａｍｐ１）
Ａｍｐ１＝１０（ｍ／２０）        ・・・（５）
【００６６】
例えば、ｍ＝−６［ｄＢ］の場合、Ａｍｐ１＝１０＾（−６／２０）＝０．５倍＝５０％となる。補正信号ＳｒｃＬ’、ＳｒｃＲ’は以下の式（６）、（７）で与えられる。
【００６７】
ＳｒｃＬ’＝ＳｒｃＬ−ＳｒｃＩｐ＊１０（ｍ／２０）    ・・・（６）
ＳｒｃＲ’＝ＳｒｃＲ−ＳｒｃＩｐ＊１０（ｍ／２０）    ・・・（７）
【００６８】
減算比率Ａｍｐ１は０％より大きく、１００％より小さくなる範囲で与えられる。つまり、係数ｍ［ｄＢ］については、０＜１０（ｍ／２０）＜１００の範囲で与えられる。例えば、Ａｍｐ１＝０％は、補正処理なしとなる。ｍ＝０を指定すると、Ａｍｐ１＝１００％となるため、係数ｍの適用範囲は、以下の式（８）により定義することができる。
−∞＜ｍ＜０  ・・・（８）
【００６９】
このように、補正処理部５０は、ステレオ入力信号ＳｒｃＬ、ＳｒｃＲから同相信号ＳｒｃＩｐに減算比率Ａｍｐ１を乗算した信号を減算することで、補正信号ＳｒｃＬ’、ＳｒｃＲ’を生成している。そして、補正信号ＳｒｃＬ’、ＳｒｃＲ’に基づいて、頭外定位処理部１０、フィルタ部４１、フィルタ部４２が処理を行う。このようにすることで、適切に頭外定位処理することができ、音量の変動や両耳効果によってファントムセンターに定位する音像が強調されることを軽減することができる。係数ｍ［ｄＢ］の係数テーブルを用いることで、適切な補正が可能となる。
【００７０】
さらに、本実施の形態では、補正処理部５０が、再生音量に応じて、減算比率Ａｍｐ１を変えている。よって、ユーザＵが再生音量を上げても、ファントムセンターの音像だけがユーザＵに近づくことがなくなる。これにより、適切に頭外定位処理することができ、スピーカ音場と同等の音場を再現することができる。減算比率は、ユーザ入力により変更されてもよい。例えば、ユーザがファントムセンターに定位する音像の位置が近いと感じた場合、ユーザが減算比率を高くするための操作を行う。このようにすることで、適切な頭外定位処理を行うことができる。
【００７１】
さらに、ステレオ入力信号ＳｒｃＬ、ＳｒｃＲの相関に応じて、補正処理部５０が補正を行うか否かを決定している。ステレオ入力信号ＳｒｃＬ、ＳｒｃＲの相関が低い場合、同相成分がほとんど含まれず補正による効果が少ないため、補正処理を行わない。すなわち、ＳｒｃＬ’＝ＳｒｃＬ、ＳｒｃＲ’＝ＳｒｃＲとなる。このようにすることで、余分な補正処理を省略し、演算の処理量を軽くすることができる。
【００７２】
また、係数ｍ［ｄＢ］は目標とするスピーカの特性（係数）とすることができる。後述する頭外定位ヘッドホンのファントムセンターに定位する音像の音量とスピーカのファントムセンターに定位する音像の音量の関係から、スピーカのファントム音像の音量と等しくなるような係数ｍ［ｄＢ］を設定することができる。係数ｍ［ｄＢ］は以下に述べる実験により得られた係数テーブルから求められる。
【００７３】
ここで、係数テーブルを求めるために行われた実験について説明する。ステレオスピーカが生成するファントムセンターの音像の音量とステレオヘッドホン及び頭外定位ヘッドホンが生成するファントムセンターの音像の音量について、再生方法の違いにより両耳効果の大きさが変化するかどうかを検証するための実験を行った。
【００７４】
しかし、ステレオヘッドホンまたは頭外定位ヘッドホンが生成するファントムセンターの音像の音量とステレオスピーカが生成するファントムセンターの音像の音量をそのまま比較することは難しい。また、ファントムセンターの音量は感覚量であるため、比較するためには物理指標に置き換えて評価する必要があった。
【００７５】
そこで、受聴者１の正面にセンタースピーカ（図９参照）を配置し、センタースピーカが生成する音像の音量を基準として、センタースピーカの音像の音量とステレオスピーカが生成するファントムセンターの音像の音量、センタースピーカの音像の音量とステレオヘッドホン及び頭外定位ヘッドホンが生成するファントムセンターの音像の音量を比較することで、相対的にステレオスピーカが生成するファントムセンターの音像の音量とステレオヘッドホン及び頭外定位ヘッドホンが生成するファントムセンターの音像の音量を比較した。
【００７６】
具体的には、センタースピーカが生成する音像の音量とステレオスピーカが生成するファントムセンターの音像の音量が同じ大きさに聴こえた時の耳元における音圧レベルを求める。次に、センタースピーカの音像の音量とステレオヘッドホン及び頭外定位ヘッドホンが生成するファントムセンターの音像の音量が同じ大きさに聴こえた時の耳元における音圧レベルを求める。これによって、センタースピーカが生成する音像の音量の耳元における音圧レベルを介して、ステレオスピーカが生成するファントムセンターの音像の音量の耳元に置ける音圧レベルとステレオヘッドホン及び頭外定位ヘッドホンが生成するファントムセンターの音像の音量の耳元における音圧レベルを比較した。
【００７７】
センタースピーカが生成する音像の音量の耳元における音圧レベルを基準音圧レベルとすると、基準音圧レベルを介して、ステレオスピーカ、ステレオヘッドホン、頭外定位ヘッドホンの再生音量を５[ｄＢ]ずつ上げた時に、ステレオスピーカが生成するファントムセンターの音像の音圧レベルとステレオヘッドホン及び頭外定位ヘッドホンが生成するファントムセンターの音像の音圧レベルが基準音圧レベルに対してどのように変化するかをプロットした耳元音圧レベルのグラフを求めた。
【００７８】
実験では、図９に示す測定装置３００を用いている。測定装置３００は、ヘッドホン４５と、ステレオスピーカ５と、センタースピーカ６と、処理装置３０１とを備えている。処理装置３０１は、メモリ、及びプロセッサなどを備える演算処理装置であり、具体的には、パーソナルコンピュータなどである。処理装置３０１は予め格納されたコンピュータプログラムに従って処理を行う。例えば、処理装置３０１は、ステレオスピーカ５、及びヘッドホン４５に実験用の信号（例えば、ホワイトノイズ）を出力する。
【００７９】
ステレオスピーカ５は、図７と同様の構成となっている。また、左スピーカ５Ｌと右スピーカ５Ｒは、受聴者１の正面を０°とした時に水平面上において同じ見開き角になる角度に配置し、さらに受聴者１から等距離に配置する。このとき、図７に示したスピーカ配置と同じ距離、同じ角度となる配置が好ましい。
【００８０】
センタースピーカ６は、左スピーカ５Ｌと右スピーカ５Ｒとの中間に配置されている。すなわち、センタースピーカ６は、受聴者１の前方正面に配置されている。したがって、センタースピーカ６の左側には、左スピーカ５Ｌが配置され、右側に右スピーカ５Ｒが配置されている。
【００８１】
ヘッドホン４５から信号を出力する場合、受聴者１は、ヘッドホン４５を装着する。また、ステレオスピーカ５、又はセンタースピーカ６から信号を出力する場合、受聴者１は、ヘッドホン４５を取り外す。
【００８２】
発明者らは、まず基準音圧レベルが７２［ｄＢ］において、ステレオスピーカ６、ステレオヘッドホン、頭外定位ヘッドホンと、基準となるセンタースピーカからホワイトノイズを耳元で同じ音圧レベルになるように提示して、各出力系のゲインを合わせた。次に、基準音圧レベルを±５［ｄＢ］ずつ変化させた時に、以下の（ａ）〜（ｃ）において、ファントムセンターに定位する音像が基準音圧レベルに対して同じ音量に聴こえる音量を聴感実験で求め、耳元の音圧レベルが変化する様子を線で結びグラフを生成した。
（ａ）ステレオスピーカが生成するファントムセンターの音像（以下ステレオスピーカのファントム音像とする）
（ｂ）ステレオヘッドホンが生成するファントムセンターの音像（以下ヘッドホンスルーのファントム音像とする）
（ｃ）頭外定位ヘッドホンのファントムセンターの音像（以下頭外定位ヘッドホンのファントム音像とする）
【００８３】
（ａ）〜（ｃ）の耳元における音圧レベルのグラフを比較したところ、ある特定の範囲においてヘッドホンスルー及び頭外定位ヘッドホンのファントム音像の耳元における音圧レベルが、ステレオスピーカのファントム音像の耳元における音圧レベルより大きくなることが分かった。つまり、スピーカよりヘッドホンで再生した方が、両耳効果が高くなることが分かった。
【００８４】
本発明において、開発者は予め前記のような実験を行い、音圧レベルのグラフから係数を算出する。本発明では、前記実験の結果から算出した係数テーブルを用いる。
【００８５】
前記実験の結果から（ａ）ステレオスピーカのファントム音像、（ｂ）ヘッドホンスルーのファントム音像、及び（ｃ）頭外定位ヘッドホンのファントム音像において、基準音圧レベルを介して比較したファントム音像の耳元での音圧レベルを聴感実験で評価したグラフを図１０、図１１に示す。図１０は、ヘッドホン４５として開放型ヘッドホンを用いた場合の結果を示すグラフである。図１１は、ヘッドホン４５として、密閉型ヘッドホンを用いた場合の結果を示すグラフである。
【００８６】
また、図１０、図１１は、６２［ｄＢ］から９７［ｄＢ］の範囲で、５［ｄＢ］毎に基準音圧レベルを変化させた時に（ａ）〜（ｃ）が基準音圧レベルを介して各ファントムセンターの音圧レベルが聴感上で同じ音量に聞こえた時の耳元における音圧レベルを線で結んだグラフを示している。図１０、図１１において、横軸は、基準音圧レベル［ｄＢ］を示す。縦軸は、聴感から求めた基準音圧レベルと同じ大きさに聴こえる各ファントムセンターの音像の耳元における音圧レベル［ｄＢ］を示す。
【００８７】
例えば、図１０の基準音圧レベル７２ｄＢにおいて、（ａ）ステレオスピーカのファントム音像の耳元音圧レベルは８０ｄＢを示している。これは、基準音圧レベルであるセンタースピーカが生成する音像の音量を７２ｄＢで提示したとき、（ａ）ステレオスピーカのファントム音像耳元における音圧レベルを８０ｄＢで提示すると同じ音量に聴こえるということになる。
【００８８】
また、図１０の基準音圧レベル７２ｄＢにおいて、（ｃ）頭外定位ヘッドホンのファントム音像の耳元音圧レベルは６７ｄＢを示している。これは、基準音圧レベルであるセンタースピーカが生成する音像の音量を７２ｄＢで提示したとき、（ｃ）頭外定位ヘッドホンのファントム音像耳元における音圧レベルを６７ｄＢで提示すると同じ音量に聴こえるということになる。
【００８９】
これらのことから、同じ基準音圧レベル７２ｄＢを提示したときに、（ａ）ステレオスピーカのファントム音像と（ｃ）頭外定位ヘッドホンのファントム音像では、音の提示する方法によって耳元における音圧レベルが異なることが分かる。さらに、（ｃ）頭外定位ヘッドホンのファントム音像は（ａ）ステレオスピーカのファントム音像よりも少ない音圧レベルで同じ音量に聴こえていることが分かる。
【００９０】
図１０の基準音圧レベルが６２［ｄＢ］において、（ａ）ステレオスピーカのファントム音像の耳元における音圧レベルは、（ｂ）ヘッドホンスルーのファントム音像と（ｃ）頭外定位ヘッドホンのファントム音像の耳元における音圧レベルよりも１０〜１２［ｄＢ］程度高くなっている。すなわち、（ａ）ステレオスピーカのファントム音像の耳元における音圧レベルは、（ｂ）ヘッドホンスルーのファントム音像、及び（ｃ）頭外定位ヘッドホンのファントム音像の耳元における音圧レベルよりも１０〜１２［ｄＢ］高いにもかかわらず、聴感上同程度に聴こえていることになる。したがって、ヘッドホン４５を用いた場合、ステレオスピーカ５を用いた場合よりも両耳効果が高くなる。すなわち、横軸に示す基準音圧レベルが同じ大きさの場合の３つの音圧レベルのグラフを比較すると、スピーカとの音圧レベルの差が大きいほど、両耳効果が大きく働いているということができる。
【００９１】
また、図１０の基準音圧レベル９２［ｄＢ］において、（ａ）ステレオスピーカのファントム音像と（ｃ）頭外定位ヘッドホンのファントム音像の耳元における音圧レベルが等しくなる。すなわち、基準音圧レベル９２［ｄＢ］において、（ａ）ステレオスピーカのファントム音像と（ｃ）頭外定位ヘッドホンのファントム音像の耳元における音圧レベルは聴感上同程度に聴こえるということになり、基準音圧レベル９２［ｄＢ］以上においてはヘッドホンによる両耳効果は影響せず、ファントムセンターの音像の音量は強められていないということになる。
【００９２】
反対に、図１０の基準音圧レベルが９７［ｄＢ］において、（ａ）ステレオスピーカのファントム音像の耳元における音圧レベルは、（ｃ）頭外定位ヘッドホンのファントム音像の耳元における音圧レベルよりも小さくなる。したがって、基準音圧レベル９７［ｄＢ］において、ステレオスピーカ及び頭外定位ヘッドホンのファントムセンターの音像の耳元における音圧レベルが逆転している。すなわち、基準音圧レベルが９２［ｄＢ］を超える９７［ｄＢ］では、ヘッドホンで提示したファントムセンターの音量は実際のステレオスピーカよりも大きな音で聴こえていることになる。
【００９３】
さらに、図１０では、（ａ）ステレオスピーカのファントム音像と（ｃ）頭外定位ヘッドホンのファントム音像では、グラフの傾きが異なっている。よって、（ａ）ステレオスピーカのファントム音像と（ｃ）頭外定位ヘッドホンのファントム音像では音圧レベルの上がり方が異なっていることが分かる。具体的には、（ａ）ステレオスピーカのファントム音像のグラフの傾きが（ｃ）頭外定位ヘッドホンのファントム音像のグラフの傾きよりも小さくなっている。すなわち、（ａ）ステレオスピーカのファントム音像と（ｃ）頭外定位ヘッドホンのファントム音像では、基準音量を上げた時の音圧レベルの上がり方がそれぞれ異なるということになる。よって、（ａ）ステレオスピーカのファントム音像と（ｃ）頭外定位ヘッドホンのファントム音像では音圧レベルの上がり方をそれぞれに設定する必要があるということになる。また、（ｂ）と（ｃ）でもグラフの傾きが異なるため、（ａ）と（ｃ）の時と同様のことが言える。
【００９４】
ここで、（ａ）〜（ｃ）の聴感によるファントム音像の音圧レベル差を説明するため、（ｃ）頭外定位ヘッドホンのファントム音像の耳元における音圧レベルと（ａ）ステレオスピーカのファントム音像の耳元における音圧レベルの差分（以下、音圧レベル差Ｙと称する）を図１２、図１３に示す。なお、音圧レベル差Ｙは、基準音圧レベルが同じ場合において、（ｃ）頭外定位ヘッドホンのファントム音像の耳元における音圧レベルから（ａ）ステレオスピーカのファントム音像の耳元における音圧レベルを引いた値である。図１２は、図１０に示すグラフの音圧レベル差Ｙを破線で示し、図１３は、図１１に示すグラフの音圧レベル差Ｙを破線で示す。横軸は基準音圧レベル[ｄＢ]であり、縦軸は音圧レベル差Ｙである。
【００９５】
図１２、図１３に示すように、音圧レベル差Ｙが上昇し始める基準音圧レベルを閾値Ｓとする。音圧レベル差が０［ｄＢ］を超える基準音圧レベルを閾値Ｐとする。閾値Ｐは、閾値Ｓよりも大きい値である。すなわち、（ｃ）頭外定位ヘッドホンのファントム音像の耳元における音圧レベルが（ａ）ステレオスピーカのファントム音像の耳元における音圧レベルよりも大きくなる基準音圧レベルが閾値Ｐとなる。図１２では閾値Ｓが７７[ｄＢ]、閾値Ｐが９２［ｄＢ]となる。図１２では閾値Ｓが７２[ｄＢ]、閾値Ｐが８７［ｄＢ]となる。閾値Ｓと閾値Ｐは、開放型や密閉型などヘッドホンのタイプに応じて異なる値を示している。
【００９６】
閾値Ｐは、（ｃ）頭外定位ヘッドホンのファントムセンター音像の耳元における音圧レベルが（ａ）ステレオスピーカのファントムセンター音像の耳元における音圧レベルと同程度の音圧レベルとなる。閾値Ｐよりも再生音量ｃｈＶｏｌが小さい場合、（ｃ）頭外定位ヘッドホンのファントム音像の耳元における音圧レベルは（ａ）ステレオスピーカのファントム音像の耳元における音圧レベルよりも小さくなる。一方、閾値Ｐよりも再生音量ｃｈＶｏｌが大きい場合、（ｃ）頭外定位ヘッドホンのファントム音像の耳元における音圧レベルは（ａ）ステレオスピーカのファントム音像の耳元における音圧レベルよりも大きくなる。
【００９７】
閾値Ｐ、及び閾値Ｓに基づいて、係数ｍ[ｄＢ]が設定される。ここで、係数ｍ[ｄＢ]の設定方法について、図１４を用いて説明する。図１４は、係数ｍ[ｄＢ]の設定方法を示すフローチャートである。なお、以下の各処理はコンピュータプログラムを実行することで行われてもよい。例えば、処理装置３０１のプロセッサが、コンピュータプログラムを実行することで、図１４に示す処理を実施する。もちろん、一部又は全部の処理について、ユーザまたは開発者が実施してもよい。
【００９８】
まず、処理装置３０１は、基準音圧レベルに対して、（ｃ）頭外定位ヘッドホンのファントム音像の耳元における音圧レベルと（ａ）ステレオスピーカのファントム音像の耳元における音圧レベルを算出する（Ｓ２０１）。これらの音圧レベルのグラフは、開発者が予め実験を行い、係数テーブルとして用意しておく。本実施例では、前記実験から算出した係数テーブルを用いる。
【００９９】
なお、各々の音圧レベルのグラフは、ヘッドホンの機種毎に用意することが好ましい。また、基準音圧レベルの調整範囲は特に限定されるものではない。
【０１００】
次に、処理装置３０１は、（ｃ）頭外定位ヘッドホンのファントム音像の耳元における音圧レベルと（ａ）ステレオスピーカのファントム音像の耳元における音圧レベルの音圧レベル差Ｙを求める（Ｓ２０２）。そして、処理装置３０１は、音圧レベル差Ｙに基づいて、閾値Ｓを設定する（Ｓ２０３）。閾値Ｓは、音圧レベル差Ｙが上昇し始める基準音圧レベルとなる。
【０１０１】
次に、処理装置３０１は、音圧レベル差Ｙに基づいて、閾値Ｐを設定する（Ｓ２０４）。閾値Ｐは、音圧レベル差Ｙが０［ｄＢ］を越える基準音圧レベルである。音圧レベル差Ｙが０［ｄＢ］を超えない場合、０［ｄＢ］を越えない最大値を閾値Ｐとして設定することができる。すなわち、基準音圧レベルの最大値を閾値Ｐとすることができる。例えば、図１３において、基準音圧レベルが６２［ｄＢ］〜９７［ｄＢ］の範囲で音圧レベル差Ｙが０［ｄＢ］を超える基準音圧レベルは９２［ｄＢ］となる。すなわち、９２［ｄＢ］を閾値Ｐとすることができる。
【０１０２】
そして、処理装置３０１は、閾値Ｐ、及び閾値Ｓに基づいて、係数ｍ[ｄＢ]の係数テーブルを生成する（Ｓ２０５）。係数テーブルは、頭外定位処理時の再生音量ｃｈＶｏｌ（図１参照）と係数ｍ[ｄＢ]とが対応付けられたテーブルである。したがって、図１２、図１３の横軸である基準音圧レベルと頭外定位処理時の再生音量ｃｈＶｏｌが置き換えられる。すなわち、横軸の基準音圧レベルを音量取得部６１が取得した再生音量ｃｈＶｏｌとすることで、係数テーブルが設定される。
【０１０３】
図１２、図１３において、係数テーブルでの係数ｍ[ｄＢ]の値を実線で示している。再生音量ｃｈＶｏｌが閾値Ｓより小さい場合、係数ｍ[ｄＢ]を閾値Ｓでの音圧レベル差Ｙとする。すなわち、再生音量ｃｈＶｏｌが閾値Ｓより小さい場合、係数ｍ[ｄＢ]は閾値Ｓでの音圧レベル差Ｙで一定となる。再生音量ｃｈＶｏｌが閾値Ｓ以上、閾値Ｐ以下の場合、音圧レベル差Ｙがそのまま係数ｍ[ｄＢ]となる。例えば、再生音量ｃｈＶｏｌが大きくなるにつれて、係数ｍ[ｄＢ]が大きくなっていく。再生音量ｃｈＶｏｌが閾値Ｐよりも大きい場合、係数ｍ[ｄＢ]を最大値となる。なお、係数ｍ[ｄＢ]が閾値Ｐよりも大きい場合、係数ｍ[ｄＢ]、は０［ｄＢ］未満の固定値となっている。
【０１０４】
したがって、頭外定位処理時において、再生音量ｃｈＶｏｌが閾値Ｓよりも小さい場合、係数ｍ[ｄＢ]は最小値で一定となる。再生音量ｃｈＶｏｌが閾値Ｓ以上、閾値Ｐ以下の場合、再生音量ｃｈＶｏｌの増加とともに、係数ｍ[ｄＢ]が単調増加する。再生音量ｃｈＶｏｌが閾値Ｐよりも大きい場合、係数ｍ[ｄＢ]が最大値で一定となる。なお、再生音量ｃｈＶｏｌが閾値Ｓよりも小さい場合、減算される同相信号ＳｒｃＩｐも小さくなるため、補正処理を行わなくてもよい。
【０１０５】
このように係数テーブルを求めることで、実際のヘッドホンとスピーカとの音量差を加味した補正信号を生成することができる。すなわち、再生音量に応じて、減算比率Ａｍｐ１が適切な値となる。これにより、ステレオ入力信号から同相信号を適切に減算することができる。すなわち、再生音量に応じて変化する音量差に応じて、適切に補正することができる。
【０１０６】
ヘッドホン音像の同相成分の減算比率を調整することで、ヘッドホンの両耳効果によってファントムセンターに定位する音像が強調されることを軽減することができる。よって、ユーザＵが音量を変えてもファントムセンターの音像の位置だけ近付くことがなく、スピーカ音場と同じになるような音場を再現することができる。ヘッドホンの両耳効果によって変化するファントムセンターの音像の音圧レベルは、出力する再生音量ｃｈＶｏｌの大きさによって非線形的に変化する。
【０１０７】
このように、処理装置３０１は、音圧レベル差Ｙに基づいて、閾値Ｓ、及び閾値Ｐを設定している。また、再生音量ｃｈＶｏｌが閾値Ｓ以上、閾値Ｐ以下の範囲内にある場合、再生音量ｃｈＶｏｌに応じて、係数ｍ［ｄＢ］は、単調増加する。これにより、再生音量が大きくなるほど、同相信号の成分が小さくなるため、音量の変動やヘッドホンの両耳効果による影響を適切に軽減することができる。
【０１０８】
また、図１２、図１３に示すように、ヘッドホンのタイプに応じて、閾値Ｐ及び閾値Ｓが異なる。よって、ヘッドホンの機種毎に閾値Ｐ及び閾値Ｓを設定して、係数テーブルを作成することが好ましい。すなわち、ヘッドホン機種毎に実験を行い、（ａ）ステレオスピーカのファントム音像、及び（ｃ）頭外定位ヘッドホンのファントム音像の音圧レベルを求める。そして、各々の耳元における音圧レベルに基づいて、音圧レベル差Ｙを求めて、閾値Ｓ、及び閾値Ｐが設定される。なお、閾値Ｓ、及び閾値Ｐの設定、及び係数テーブルの設定の一部または全部は、ユーザまたは開発者が行ってもよく、コンピュータプログラムにより自動で行われてもよい。また、（ｂ）ヘッドホンスルーのファントム音像については実施しなくてもよい。
【０１０９】
（係数ｍの設定の変形例１）
上記の説明では、音圧レベル差Ｙが０［ｄＢ］となる基準音圧レベルを閾値Ｐとしたたが、変形例では、異なる方法で閾値Ｐを設定している。具体的には、音圧レベル差Ｙの近似関数Ｙ’によって、閾値Ｐを設定している。図１５は、変形例にかかる方法で閾値Ｐを設定した場合の、係数ｍ[ｄＢ]を設定するための処理を示すフローチャートである。
【０１１０】
なお、頭外定位処理装置の基本的構成、及び処理については、上記と同様であるため、詳細な説明を省略する。（ａ）ステレオスピーカのファントム音像、及び（ｃ）頭外定位ヘッドホンのファントム音像についても、上記と同様であるため、詳細な説明を省略する。
【０１１１】
まず、処理装置３０１は、（ｃ）頭外定位ヘッドホンのファントム音像の耳元における音圧レベルと（ａ）ステレオスピーカのファントム音像の耳元における音圧レベルを算出する（Ｓ３０１）。次に、処理装置３０１は、（ｃ）頭外定位ヘッドホンのファントム音像と（ａ）ステレオスピーカのファントム音像の音圧レベル差Ｙを求める（Ｓ３０２）。そして、処理装置３０１は、音圧レベル差Ｙに基づいて、閾値Ｓを設定する（Ｓ３０３）。Ｓ３０１〜Ｓ３０３の処理は、Ｓ２０１〜Ｓ２０３の処理と同様であるため、説明を省略する。
【０１１２】
次に、処理装置３０１が音圧レベル差Ｙの近似関数Ｙ’を求める（Ｓ３０４）。近似関数Ｙ’は、基準音圧レベルがＳ以上の範囲から算出される。近似関数Ｙ’は線形近似により算出される。図１６に、図１１、図１３に示された密閉ヘッドホンにおける頭外定位ヘッドホンのファントム音像の音圧レベル、音圧レベル差の場合の近似関数Ｙ’を破線で示す。図１６では、Ｙ’＝ｘ−８６．２の線形近似で近似している。
【０１１３】
なお、近似関数Ｙ’は線形近似により算出されていてもよく、２次以上の多項式により算出されていてもよい。あるいは、移動平均により、近似関数Ｙ’が算出されていてもよい。近似することで、平均的な係数ｍ［ｄＢ］を求めることができる。
【０１１４】
処理装置３０１が、近似関数Ｙ’に基づいて、閾値Ｐを設定する（Ｓ３０５）。そして、近似関数Ｙ’の値が０［ｄＢ］となる基準音圧レベルｘの値を閾値Ｐとする。図１６に示すグラフでは、ｘ＝８６．２［ｄＢ］でＹ’＝０となるため、閾値Ｐ＝８６．２［ｄＢ］となる。
【０１１５】
そして、処理装置３０１が、閾値Ｓ、閾値Ｐ、及び近似関数Ｙ’に基づいて、係数テーブルを生成する（Ｓ３０６）。図１６には、係数テーブルが合わせて示されている。再生音量ｃｈＶｏｌが閾値Ｓより小さい場合、係数ｍ[ｄＢ]が閾値Ｓでの音圧レベル差Ｙとなる。すなわち、再生音量ｃｈＶｏｌが閾値Ｓより小さい場合、係数ｍ[ｄＢ]は閾値Ｓでの音圧レベル差Ｙで一定となる。あるいは、閾値Ｓより小さい場合、補正処理をしないようにしてもよい。
【０１１６】
再生音量ｃｈＶｏｌが閾値Ｓ以上、閾値Ｐ以下の場合、係数ｍ[ｄＢ]が近似関数Ｙ’の値となる。例えば、再生音量ｃｈＶｏｌが大きくなるにつれて、係数ｍ[ｄＢ]が大きくなっていく。再生音量ｃｈＶｏｌが閾値Ｐよりも大きい場合、係数ｍ[ｄＢ]が近似関数Ｙ’の最大値で固定となる。
【０１１７】
このように、閾値Ｐ、及び係数テーブルを設定したとしても、実施の形態１と同様の効果を得ることができる。音量が変わった場合でも、適切に音像定位処理することができる。すなわち、音量の変動やヘッドホンの両耳効果によってファントムセンターに定位する音像が強調されるのを抑制することができる。
【０１１８】
実施の形態２．
実施形態２では、係数テーブルとして、デシベルから換算した比率の係数［ｄＢ］ではなく、直接比率を％指定した係数ｍ［％］が設定されている。すなわち、再生音量ｃｈＶｏｌに対して、直接比率を％指定した係数ｍ［％］が対応付けられて、係数テーブルとして設定されている。すなわち、係数ｍ［％］が式（２）、（３）のＡｍｐ１に一致する。さらに、係数ｍ［％］は、頭外定位再生を行った場合、ユーザＵの聴感に応じて設定されている。
【０１１９】
図１７を用いて、係数テーブルの設定処理について説明する。図１７は、係数テーブルの設定処理を示す。まず、処理装置３０１が閾値Ｓを設定する（Ｓ４０１）。ここでは、ユーザＵがヘッドホン４５を装着して頭外定位処理された信号を受聴したときの聴感から、制御範囲の最小となる閾値Ｓを入力する。
【０１２０】
次に、処理装置３０１が閾値Ｐを設定する（Ｓ４０２）。ここでは、Ｓ４０１の処理と同様に、ユーザＵがヘッドホン４５を装着して頭外定位処理された信号を受聴したときの聴感から、制御範囲の最小となる閾値Ｐを入力する。例えば、閾値Ｓは７２［ｄＢ］、閾値Ｐを８７［ｄＢ］とすることができる。そして、閾値Ｓ、及び閾値Ｐは、メモリなどに記憶される。閾値Ｓ、及び閾値Ｐは、ユーザ入力に応じて設定されてもよい。
【０１２１】
そして、処理装置３０１は、閾値Ｓ、及び閾値Ｐに基づいて、係数テーブルを生成する（Ｓ４０３）。ここで、図１８を用いて、係数テーブルについて説明する。係数テーブルの係数ｍ［％］は、閾値Ｓ、及び閾値Ｐに基づいて、３段階に設定されている。例えば、閾値Ｓよりも小さい再生音量ｃｈＶｏｌでは、係数ｍ［％］を０［％］としている。閾値Ｓ以上、閾値Ｐ未満の再生音量ｃｈＶｏｌでは、係数ｍ［％］を１５［％］としている。閾値Ｐ以上の再生音量ｃｈＶｏｌでは、係数ｍ［％］を３０［％］としている。
【０１２２】
このように、再生音量ｃｈＶｏｌの増加に応じて、係数ｍ［％］が段階的に増加するように係数テーブルが設定されている。もちろん、係数ｍ［％］の値は３段階に限らず、４段階以上に増加してもよい。閾値Ｓ、及び閾値Ｐの間に範囲において、係数ｍ［％］が複数設定されていてもよい。係数ｍ［％］は０％より大きく、１００％よりも小さい範囲で設定される。
【０１２３】
なお、Ａｍｐ１＝係数ｍ／１００［％］を含む係数テーブルを用いた場合、補正信号は、式（６）、式（７）の代わりに、以下の式（９）、式（１０）に基づいて算出される。
ＳｒｃＬ’＝ＳｒｃＬ−ＳｒｃＩｐ＊ｍ／１００    ・・・（９）
ＳｒｃＲ’＝ＳｒｃＲ−ＳｒｃＩｐ＊ｍ／１００    ・・・（１０）
【０１２４】
本実施の形態において、頭外定位処理方法については、実施の形態１と同様であるため、詳細な説明を省略する。例えば、図８に示したフローにしたがって頭外定位処理を行うことができる。そして、係数を設定するＳ１０４において、係数ｍ［ｄＢ］ではなく、係数ｍ［％］を設定すればよい。また、ステレオ再生信号から同相信号を減算するＳ１０６において、式（６）、式（７）の代わりに、上記の式（９）、式（１０）を用いればよい。
【０１２５】
変形例２．
実施の形態２では係数テーブルを参照して、再生音量ｃｈＶｏｌに応じた係数ｍを設定したが、変形例２では、ユーザＵが聴感に応じて、係数ｍを設定している。例えば、ユーザＵが頭外定位処理されたステレオ再生信号を受聴中において、聴感に応じて同相成分の減算比率を変えてもよい。
【０１２６】
例えば、ユーザＵが頭外定位ヘッドホンから生成されたファントムセンターに定位するボーカルの音像が近いと感じた場合、係数［％］を大きくするための入力を行う。例えば、ユーザＵがタッチパネルを操作することでユーザ入力を実施する。そして、ユーザ入力が受け付けられた場合に、頭外定位処理装置１００は係数ｍ［％］を大きくする。例えば、ファントムセンター音像が近いとユーザＵが感じた場合、係数ｍ［％］を大きくする操作を行う。反対に、ファントムセンター音像が近いとユーザＵが感じた場合、係数ｍ［％］を小さくする操作を行う。変形例２においても、係数ｍ［％］が０［％］、１５［％］、３０［％］等と段階的に増減するようにすることができる。
【０１２７】
さらに、ユーザ入力による係数の設定と、再生音量に応じた係数の設定を組み合わせてもよい。例えば、再生音量に応じた係数で頭外定位処理装置１００が頭外定位処理を行う。ユーザが頭外定位処理された再生信号を受聴した時の聴感に応じて、ユーザが係数を変更する操作を行ってもよい。さらに、ユーザが再生音量を調整する操作を行った場合に、係数ｍを変更するようにしてもよい。
【０１２８】
なお、係数ｍ［ｄＢ］が−６［ｄＢ］（つまり、ｍ［％］＝５０％）を超えると、左右のバランスが崩れた聴感となることがある。そのため、−６［ｄＢ］を係数ｍ［ｄＢ］の上限として、係数テーブルに−６［ｄＢ］以下の値を設定してもよい。
【０１２９】
等感曲線から求めた係数はあくまで理想値であり、係数ｍの設定値次第では左右の音量のバランスが崩れることがある。実際の楽曲に合わせて、理想値よりも小さな値に調整する等してもよい。同相信号を抽出するアルゴリズムはあくまで一例であり、この限りでない。例えば、適応アルゴリズムを用いて同相信号を抽出してもよい。
【０１３０】
上記の頭外定位処理、及び測定処理のうちの一部又は全部は、コンピュータプログラムによって実行されてもよい。上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ)、ＥＰＲＯＭ（Ｅｒａｓａｂｌｅ  ＰＲＯＭ)、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３１】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【０１３２】
Ｕ  ユーザ
１  受聴者
２Ｌ  左マイク
２Ｒ  右マイク
５Ｌ  左スピーカ
５Ｒ  右スピーカ
９Ｌ  左耳
９Ｒ  右耳
１０  頭外定位処理部
１１  畳み込み演算部
１２  畳み込み演算部
１３  増幅器
１４  増幅器
２１  畳み込み演算部
２２  畳み込み演算部
２３  増幅器
２４  増幅器
２６  加算器
２７  加算器
４１  フィルタ部
４２  フィルタ部
４３  Ｄ／Ａコンバータ
４４  Ｄ／Ａコンバータ
４５  ヘッドホン
５０  補正処理部
５１  加算器
５２  比率設定部
５３  減算器
５４  減算器
５６  相関判定部
６１  音量取得部
１００  頭外定位処理装置
１１０  演算処理部
２００  フィルタ生成装置
２０１  処理装置
３００  測定装置
３０１  処理装置
【図１】
2018137549.tif 000004
【図２】
2018137549.tif 000005
【図３】
2018137549.tif 000006
【図４】
2018137549.tif 000007
【図５】
2018137549.tif 000008
【図６】
2018137549.tif 000009
【図７】
2018137549.tif 000010
【図８】
2018137549.tif 000011
【図９】
2018137549.tif 000012
【図１０】
2018137549.tif 000013
【図１１】
2018137549.tif 000014
【図１２】
2018137549.tif 000015
【図１３】
2018137549.tif 000016
【図１４】
2018137549.tif 000017
【図１５】
2018137549.tif 000018
【図１６】
2018137549.tif 000019
【図１７】
2018137549.tif 000020
【図１８】
2018137549.tif 000021